(57)【要約】【課題】所望のファイルを高速にかつ確実に検索することが可能なファイルを生成する際のファイル生成方法を提供すること。【解決手段】所定の書式に従ったファイル名を生成し（ステップＳ２〜Ｓ７）、この生成したファイル名をヘッダ情報部に書き込んでファイルを生成する（ステップＳ８）。【選択図】図３
2005149483.tif 000002
【特許請求の範囲】
【請求項１】
ヘッダ情報部を有するファイルを生成するファイル生成方法において、
上記ファイルのファイル名を生成する工程と、
上記生成したファイル名を上記ヘッダ情報部に書き込んでファイルを生成する工程と、
を有することを特徴とするファイル生成方法。
【請求項２】
上記ファイルを生成する工程は、上記ファイルが記録される際のディレクトリ名を上記ヘッダ情報部に書き込む工程を更に有することを特徴とする請求項１に記載のファイル生成方法。
【請求項３】
ヘッダ情報部を有するファイルを生成するファイル生成方法において、
所定の書式に従ったファイル名を生成する工程と、
この生成したファイル名を上記ヘッダ情報部に書き込んでファイルを生成する工程と、
を有することを特徴とするファイル生成方法。
【請求項４】
上記所定の書式に従ったファイル名は、上記ファイルの種別を示すファイル名であることを特徴とする請求項３に記載のファイル生成方法。
【請求項５】
上記所定の書式に従ったファイル名は、上記ファイルがステレオ撮影によって得られたステレオファイルであることを示すファイル名であることを特徴とする請求項３に記載のファイル生成方法。
【請求項６】
上記ファイル名が変更される際に警告を行う工程を更に有することを特徴とする請求項１又は３に記載のファイル生成方法。
【請求項７】
上記ファイル名が変更された際に、上記ヘッダ情報部に書き込まれたファイル名に基づいて変更後のファイル名と変更前のファイル名とを対応付けたテーブルデータを作成する工程を更に有することを特徴とする請求項１又は３に記載のファイル生成方法。
【請求項８】
上記ファイル名が変更された場合に、上記ヘッダ情報部に書き込まれたファイル名に従って、上記変更後のファイル名を上記変更前のファイル名に書き戻す工程を更に有することを特徴とする請求項１又は３に記載のファイル生成方法。
【請求項９】
上記ファイルを生成する工程は、上記ファイルが記録される際のディレクトリ名を上記ヘッダ情報部に書き込む工程を更に含むことを特徴とする請求項３に記載のファイル生成方法。
【請求項１０】
ファイル名の生成時に、この生成されたファイル名が上記所定の書式に従ったファイル名であるか否かを判定する工程と、
この判定の結果、上記ファイル名が上記所定の書式に従ったファイル名でないと判定した場合に、現在のファイル名に上記所定の書式に従ったファイル名を追加した新たなファイル名を生成する工程を更に有することを特徴とする請求項３に記載のファイル生成方法。
【請求項１１】
ヘッダ情報部を有するファイルを検索するファイル検索方法において、
ファイル名を参照してファイルを検索する工程と、
このファイル名を参照してファイルを検索した結果、ファイルを検索できなかった場合に、ヘッダ情報部に書き込まれたファイル名を参照してファイルを検索する工程と、
を有するファイル検索方法。
【請求項１２】
ヘッダ情報部を有するファイルを検索するファイル検索方法において、
所定の書式に従った部分があるファイル名が存在するか否かでファイルを検索する工程と、
上記所定の書式に従った部分があるファイル名が存在しない場合に、ヘッダ情報部に書き込まれたファイル名を参照してファイルを検索する工程と、
を有するファイル検索方法。
【請求項１３】
２つ１組でなるステレオファイルの何れか一方のファイルが選択された場合に、もう一方のファイルを検索するファイル検索方法であって、
上記選択されたファイルのファイル名と同一のファイル名を有するファイルを検索することで、上記もう一方のファイルを検索する工程と、
この検索によって上記もう一方のファイルが検索できなかった場合に、上記選択されたファイルのヘッダ情報部に書き込まれたファイル名を参照し、このファイル名と同一のファイル名がヘッダ情報部に書き込まれたファイルを検索することで、上記もう一方のファイルを検索する工程と、
を有することを特徴とするファイル検索方法。
【発明の詳細な説明】
【技術分野】
【０００１】
本発明は、ファイルを生成する際のファイル生成方法及びこのようなファイルの検索方法に関する。
【背景技術】
【０００２】
２台のデジタルカメラを用いてステレオ撮影を行った場合には、左右２視点からの２つの画像データが得られる。このような画像データを画像ファイルとしてパーソナルコンピュータ（ＰＣ）等に転送して管理するような場合に、ステレオ画像（２つペアの画像）とモノキュラ画像（１つの画像）とを明確に区別し、更に２つペアのステレオ画像を正しく検索して再生できるようにする技術が特許文献１において提案されている。この特許文献１で提案されている技術は、ステレオファイル生成時に、これらステレオファイルのヘッダ情報部にこのファイルがステレオファイルであることを示すコードや左右何れの視点の画像であるかを示すコード、何駒目に撮影されたステレオ画像であるかを示すコードなどを書き込んでおくものである。
【特許文献１】特許第３０８１６７５号
【発明の開示】
【発明が解決しようとする課題】
【０００３】
ヘッダ情報部にコードを書き込んでおくようにすれば、書き換えられる心配もなく確実に検索を行うことができるが、ファイルの検索時には一旦ファイルを開く必要があるのでその分検索の終了が遅くなってしまう。その一方でディレクトリ名やファイル名（ＯＳファイル名）からファイルの検索を行うようにすれば検索は早く終了するが、これらは容易に書き換えられてしまうものであり、ディレクトリ名やファイル名からファイルを検索するだけでは確実性の高い検索を行うことができない。
【０００４】
本発明は、上記の事情に鑑みてなされたもので、所望のファイルを高速にかつ確実に検索することが可能なファイルを生成する際のファイル生成方法及びこのようなファイルを検索するためのファイル検索方法を提供することを目的とする。
【課題を解決するための手段】
【０００５】
上記の目的を達成するために、本発明の第１の態様によるファイル生成方法は、ヘッダ情報部を有するファイルを生成するファイル生成方法において、上記ファイルのファイル名を生成する工程と、上記生成したファイル名を上記ヘッダ情報部に書き込んでファイルを生成する工程とを有する。
【０００６】
この第１の態様によれば、生成したファイル名をヘッダ情報部にも書き込んでおくので所望のファイルを高速にかつ確実に検索することが可能である。
【０００７】
また、上記の目的を達成するために、本発明の第２の態様によるファイル生成方法は、第１の態様において、上記ファイルを生成する工程は、上記ファイルが記録される際のディレクトリ名を上記ヘッダ情報部に書き込む工程を更に有する。
【０００８】
この第２の態様によれば、記録時のディレクトリ名もヘッダ情報部に書き込まれる。
【０００９】
また、上記の目的を達成するために、本発明の第３の態様によるファイル生成方法は、ヘッダ情報部を有するファイルを生成するファイル生成方法において、所定の書式に従ったファイル名を生成する工程と、この生成したファイル名を上記ヘッダ情報部に書き込んでファイルを生成する工程とを有する。
【００１０】
この第３の態様によれば、生成したファイル名をヘッダ情報部にも書き込んでおくので所望のファイルを高速にかつ確実に検索することが可能である。
【００１１】
また、上記の目的を達成するために、本発明の第４の態様によるファイル生成方法は、第３の態様において、上記所定の書式に従ったファイル名は、上記ファイルの種別を示すファイル名である。
【００１２】
この第４の態様によれば、生成したファイル名によってファイルの種別が判定できる。
【００１３】
また、上記の目的を達成するために、本発明の第５の態様によるファイル生成方法は、第３の態様において、上記所定の書式に従ったファイル名は、上記ファイルがステレオ撮影によって得られたステレオファイルであることを示すファイル名である。
【００１４】
この第５の態様によれば、生成したファイルがステレオファイルであることが判定できる。
【００１５】
また、上記の目的を達成するために、本発明の第６の態様によるファイル生成方法は、第１又は第３の態様において、上記ファイル名が変更される際に警告を行う工程を更に有する。
【００１６】
この第６の態様によれば、ファイル名が変更される際には警告が行われる。
【００１７】
また、上記の目的を達成するために、本発明の第７の態様によるファイル生成方法は、第１又は第３の態様において、上記ファイル名が変更された際に、上記ヘッダ情報部に書き込まれたファイル名に基づいて変更後のファイル名と変更前のファイル名とを対応付けたテーブルデータを作成する工程を更に有する。
【００１８】
この第７の態様によれば、テーブルデータを参照することでファイルの検索を高速で行うことができる。
【００１９】
また、上記の目的を達成するために、本発明の第８の態様によるファイル生成方法は、第１又は第３の態様において、上記ファイル名が変更された場合に、上記ヘッダ情報部に書き込まれたファイル名に従って、上記変更後のファイル名を上記変更前のファイル名に書き戻す工程を更に有する。
【００２０】
この第８の態様によれば、変更されたファイル名を元に戻すことができる。
【００２１】
また、上記の目的を達成するために、本発明の第９の態様によるファイル生成方法は、第３の態様において、上記ファイルを生成する工程は、上記ファイルが記録される際のディレクトリ名を上記ヘッダ情報部に書き込む工程を更に含む。
【００２２】
この第９の態様によれば、記録時のディレクトリ名もヘッダ情報部に書き込まれる。
【００２３】
また、上記の目的を達成するために、本発明の第１０の態様によるファイル生成方法は、第３の態様において、ファイル名の生成時に、この生成されたファイル名が上記所定の書式に従ったファイル名であるか否かを判定する工程と、この判定の結果、上記ファイル名が上記所定の書式に従ったファイル名でないと判定した場合に、現在のファイル名に上記所定の書式に従ったファイル名を追加した新たなファイル名を生成する工程を更に有する。
【００２４】
この第１０の態様によれば、ファイル名を変更しても高速の検索を行うことができる。
【００２５】
また、上記の目的を達成するために、本発明の第１１の態様によるファイル検索方法は、ヘッダ情報部を有するファイルを検索するファイル検索方法において、ファイル名を参照してファイルを検索する工程と、このファイル名を参照してファイルを検索した結果、ファイルを検索できなかった場合に、ヘッダ情報部に書き込まれたファイル名を参照してファイルを検索する工程とを有する。
【００２６】
この第１１の態様によれば、まず、ファイル名を参照した検索を行うので高速の検索を行うことができる。
【００２７】
また、上記の目的を達成するために、本発明の第１２の態様によるファイル検索方法は、ヘッダ情報部を有するファイルを検索するファイル検索方法において、ヘッダ情報部を有するファイルを検索するファイル検索方法において、所定の書式に従った部分があるファイル名が存在するか否かでファイルを検索する工程と、上記所定の書式に従った部分があるファイル名が存在しない場合に、ヘッダ情報部に書き込まれたファイル名を参照してファイルを検索する工程とを有する。
【００２８】
この第１２の態様によれば、まず、ファイル名に所定の書式に従った部分があれば、検索を行うことができる。
【００２９】
また、上記の目的を達成するために、本発明の第１３の態様によるファイル検索方法は、２つ１組でなるステレオファイルの何れか一方のファイルが選択された場合に、もう一方のファイルを検索するファイル検索方法であって、上記選択されたファイルのファイル名と同一のファイル名を有するファイルを検索することで、上記もう一方のファイルを検索する工程と、この検索によって上記もう一方のファイルが検索できなかった場合に、上記選択されたファイルのヘッダ情報部に書き込まれたファイル名を参照し、このファイル名と同一のファイル名がヘッダ情報部に書き込まれたファイルを検索することで、上記もう一方のファイルを検索する工程とを有する。
【００３０】
この第１３の態様によれば、ステレオファイルの一方のファイルが選択された場合に、それと対となるも一方のファイルを高速にかつ確実に検索することが可能である。
【発明の効果】
【００３１】
本発明によれば、所望のファイルを高速にかつ確実に検索することが可能なファイルを生成する際のファイル生成方法及びこのようなファイルを検索するためのファイル検索方法を提供することができる。
【発明を実施するための最良の形態】
【００３２】
本発明はファイルを生成する際に、そのファイルのファイル名と、必要に応じてそのファイルが記録されるディレクトリ名とをヘッダ情報部に書き込んでおくものである。このようにして生成したファイルの検索時には、まず、検索が高速で終了するファイル名を参照した検索を行い、このファイル名の検索で検索が行えなかった場合にはヘッダ情報部に書き込まれたファイル名を参照して検索を行う。
【００３３】
ここで注記すれば、本発明においてファイル名とは、コンピュータのオペレーティングシステム（以下、ＯＳと称する）がファイル管理のために各々のファイルに個別に与えた名前（拡張子を含む）のことを指し、そのファイルの格納領域に与えた名前即ちディレクトリ（フォルダ）名を含まないとする。そしてこのファイル名、ディレクトリ名は、ともに「ＯＳの標準的なファイル操作のみで、当該ファイルを開かずに」表示したり書き換えたりが可能なものである。即ち、ＯＳの管理データであって、ファイルデータそれ自身とは区別される。これに対してヘッダ情報部とはそのファイルのデータそれ自身の一部として設けられ、ファイルを開く動作を行わないと、表示したり書き換えたりすることができないものである。なお、以下の説明においてＯＳは汎用パーソナルコンピュータの代表的なＯＳであるウィンドウズ（登録商標）を仮定する。
【００３４】
以下、本発明の実施形態を図面を参照して説明する。ここで、以後の実施形態は、ステレオ撮影によるステレオファイルの生成の例について説明するが、本発明のファイル生成方法及びファイル検索方法は、ステレオファイル生成以外の場合の任意のファイル生成にも適用が可能である。
【００３５】
［第１の実施形態］
図１は、２台のカメラ１ａ及び１ｂを用いてステレオ撮影を行う際の構成を示した図である。なお、基本的な構成については従来のものを用いればよいので、ここではその詳細な説明については省略する。また、カメラ１ａとカメラ１ｂは同様の構成を有しているものとする。
【００３６】
カメラ１ａは、図示しない被写体の像を入射させるための撮影レンズ２と、この撮影レンズ２を介して入射した被写体の像を電気信号に変換する撮像部３と、撮像部３の出力に基づいて所定の画像処理を施して画像データを生成する画像処理部４と、画像処理部４で生成されたステレオ画像データからステレオファイルを生成するファイル生成部５と、ファイル生成部５で生成された画像ファイルが記録される記録部６と、カメラ全体の制御を統括的に行う制御部７とで構成されている。また、カメラ１ａはカメラ１ｂと通信回線８を介して接続されており、この通信回線８を介してレリーズタイミングの同期制御などが行われる。
【００３７】
このような構成を有するカメラ１ａ及び１ｂにおいて、ファイル生成部５において生成されたステレオファイルのファイル名は、図２（ａ）で示すような所定の書式を有する。即ち、このファイル名は、ステレオファイルであることを示す部分１００と撮影時の駒番号を示す部分２００と、この画像が左右何れの視点の画像であるのかを示す部分３００とからなる。
【００３８】
更に第１の実施形態では、このファイル名自体を図２（ｂ）のようにして当該ファイルのヘッダ情報部に書き込む。また、同様に、ファイル記録時のディレクトリ名も図２（ｂ）のように書き込む。これらヘッダ情報部に書き込まれたファイル名及びディレクトリ名は、例えユーザによってＯＳ上のファイル名が変更されたり、ファイルが移動（ＯＳ上のディレクトリ名が変更）されたりしても変更されることがない。
【００３９】
次に、このようなファイルの生成方法について図３を参照して説明する。画像データが撮影された後、制御部７は、この画像データがステレオ画像データであるか否かを判定する（ステップＳ１）。この判定は、例えばカメラの撮影モードがステレオ撮影モードであるか否か等から判定すればよい。ステップＳ１の判定において当該画像データがステレオ画像データであると判定した場合に、制御部７は、ファイル生成部５において、ステレオファイルであることを示す「ＳＴＲ」という文字列をファイル名に付加する（ステップＳ２）。
【００４０】
次に、駒番号を検出して（ステップＳ３）、この駒番号の数字をファイル名に付加する（ステップＳ４）。更にこの画像が左画像であるか否かを判定する（ステップＳ５）。このステップＳ５の判定において、左画像であると判定した場合には、左画像であることを示す「Ｌ」の文字列をファイル名に付加し（ステップＳ６）、左画像でない、即ち右画像であると判定した場合には、右画像であることを示す「Ｒ」の文字列をファイル名に付加する（ステップＳ７）。
【００４１】
このようにしてファイル名（ＯＳファイル名）が決定された後、制御部７は、ファイル生成部５において、このファイル名をヘッダ情報部に書き込む（ステップＳ８）。また、このファイルを記録する際のディレクトリ名（パスとも呼ばれる）もヘッダ情報部に書き込む（ステップＳ９）。なお、目的によって、ディレクトリ名は書き込み対象とせずファイル名だけを用いるようにしても良い。なお、上記のようにして生成されたファイル名には、所定の拡張子（例えばＪＰＥＧ形式の画像データであれば．ｊｐｇ）が付加された形で記録されるが、ここでは図示を省略している。
【００４２】
その後、撮影条件等のその他の情報をヘッダ情報部に書き込み（ステップＳ１０）、更に画像データ部を付加してファイルが生成される。
【００４３】
また、ステップＳ１の判定においてステレオ画像データでないと判定した場合には、ステップＳ１からステップＳ１０に移行する。この場合には、図２（ａ）のような所定の書式でファイル名が生成されない（書式に合致しないファイル名を生成する）が、このような場合も図２（ａ）に準じた書式でファイル名を生成できるようにしてもよいことは言うまでもない。例えば、ステレオ画像でないモノキュラ画像の場合には、このファイルがモノキュラ画像であることを示す文字列と撮影駒番号をファイル名とし、このファイル名及び記録先のディレクトリ名をヘッダ情報部に書き込んでおくようにすることもできる。また、このようなファイル名称の生成手法は、画像ファイルに限るものではないことも言うまでもない。
【００４４】
このようにしてファイル名を生成するようにすれば、確実に、かつ高速にファイル検索を行うことが可能である。次に、このようなファイルの検索の一例として、２つ１組でなるステレオファイルの何れか一方のファイルが選択された場合に、このファイルと対となるステレオファイルを検索する方法（以下、対検索と称する）について図４を参照して説明する。なお、この検索は、カメラ内の制御部７やＰＣ内の図示しない制御部（以後、これらを制御部と称する）によって行われるものである。
【００４５】
まず、この検索において、制御部は、選択されたファイルと同じファイル名（ＯＳファイル名）のファイル（実際には「ＳＴＲ」の部分と「駒番号」部分が同じファイル）を検索する（ステップＳ１１）。このようなファイル名の検索では、ファイルを開かずに検索を行うことができるので高速の検索を行うことができる。次に、このような検索の結果から、制御部は、同一のファイル名のファイルが存在したか否かを判定する（ステップＳ１２）。
【００４６】
ステップＳ１２の判定において、同一のファイル名のファイルが存在したと判定した場合に、制御部は、検索されたファイルのファイル名がヘッダ情報部に書き込まれたファイル名と同一であるか否かを判定する（ステップＳ１３）。このステップＳ１３の判定において、検索されたファイルのファイル名がヘッダ情報部に書き込まれたファイル名と同一であると判定した場合には、検索を正しく行うことができたとして検索を終了する。
【００４７】
即ち、ファイル名（ＯＳファイル名）はユーザによって書き換えられている可能性があるので、第１の実施形態では、ファイル名による検索によりファイルが検索された場合であっても、検索されたファイルのファイル名とヘッダ情報部に書き込まれたファイル名とを照合して再確認するようにしている。
【００４８】
一方、ステップＳ１３の判定において検索されたファイルのファイル名がヘッダ情報部に書き込まれたファイル名と同一でないと判定した場合には、ステップＳ１１に戻り、ファイル名の検索を続ける。
【００４９】
また、ステップＳ１２の判定において、同一ファイル名のファイルが存在していないと判定した場合に、制御部は、ヘッダ情報部に書き込まれたファイル名を参照して検索を行う（ステップＳ１４）。次に、このような検索の結果から、制御部は、同一のファイル名のファイルが存在したか否かを判定する（ステップＳ１５）。
【００５０】
ステップＳ１５の判定において、ヘッダ情報部内の検索で該当するファイル名が検索された場合には、検索を正しく行うことができたとして検索を終了する。一方、ステップＳ１５の判定において、ヘッダ情報部に書き込まれたファイル名による検索でも該当するファイル名が検索されなかった場合には、対となるファイルがなかったことをユーザに警告する（ステップＳ１６）。
【００５１】
ここで、図４の検索はあくまでも一例であり、ファイル名の検索を行って、ファイル名が組となっているものを全て検索できるようにしてもよい。
【００５２】
また、第１の実施形態では、ファイル名（ＯＳファイル名）が変更された場合には、高速のファイル検索を行うことができなくなるので、これを対策するために、ファイル名が変更される場合には、ファイル名が変更されることによって検索速度が遅くなる旨をユーザに警告するようにしてもよい。また、変更されたファイル名をヘッダ情報部に書き込まれたファイル名に戻せるようにしてもよい。更には、ファイル名が変更された際に、図５のような変更前のファイル名と変更後のファイル名とを対応付けたテーブルデータを作成し、ファイル名による検索時では、このテーブルデータに従って検索を行うようにしてもよい。
【００５３】
また、移動されたファイルをヘッダ情報部に書き込まれたディレクトリに戻す（同じファイルをコピー又は移動）できるようにしてもよい。
【００５４】
以上説明したように、第１の実施形態によれば、ファイル名（ＯＳファイル名）を参照して行う検索とヘッダ情報部内に書き込まれたファイル名を参照して行う検索とを併用することにより、確実に、かつ高速にファイルを検索することが可能である。
【００５５】
［第２の実施形態］
次に本発明の第２の実施形態について説明する。第２の実施形態は、ファイル名生成時の書式が第１の実施形態と異なる。
【００５６】
即ち、この第２の実施形態においては、図６で示すように、ユーザが決定したファイル名部４００に図２（ａ）で説明した所定の書式（符号１００〜３００の部分）が付加されてファイル名が生成される。このときファイル名部４００と所定書式部分との間を空白部５００で埋めるようにしてもよい。具体的には、ステレオ画像の記録に際しては、所定書式部分は図７と同様に生成されるが、これとは別にユーザが任意に決定したファイル名が入力され、これらが合わされて図６で示したファイル名が作られる。
【００５７】
あるいは、このようなファイル名は、はじめの生成時は第１の実施形態の方法を用いて生成されるが、その後ユーザがファイル名を変更しようとした場合に、図７のフローチャートに従って生成されるようにも構成し得る。
【００５８】
即ち、図７において、制御部は、まず、ユーザによってファイル名が変更されたか否かを判定し（ステップＳ２１）、ファイル名が変更されたと判定した場合には、このファイル名が所定の書式に従っているか否か、即ち、ファイル名に所定書式部分があるか否かを判定する（ステップＳ２２）。このステップＳ２２の判定において、ファイル名が所定の書式に従っていると判定した場合には、このフローチャートの制御を終了する。
【００５９】
一方、ステップＳ２２の判定において、ファイル名が所定の書式に従っていないと判定した場合には、所定書式部分を付加してファイル名を生成する（ステップＳ２３）。ここで、この所定書式部分については図３で説明しているので説明を省略する。
【００６０】
このようにユーザがつけたファイル名に常に所定書式部分を付加するようにすれば、ユーザが自身の好みのファイル名をつけることができると共に、検索時には所定書式部分のみに着目して対検索を行うことにより、常に高速の検索を行うことができる。
【００６１】
ここで、第２の実施形態では、ファイル名の中に常に所定書式部分が存在するようにしているので、基本的にはファイル名（ＯＳファイル名）の検索のみで検索を行うことができるが、検索の確実性を増すためにヘッダ情報部にもファイル名を書き込んでおくことがより好ましい。
【００６２】
以上説明したように、第２の実施形態によれば、ファイル名の検索のみで検索を行うことができる。
【００６３】
なお、以上の実施形態は、ステレオ撮影によるステレオファイルの生成の例について説明したが、本発明のファイル生成方法及びファイル検索方法は、ステレオファイル生成以外の任意のファイル生成にも適用可能であって、例えば組み写真や連写撮影写真のように複数の写真（ファイル）をまとめて１組として扱うことが好ましい対象に対して上記ステレオファイルと同様の命名規則を定めて適用することが提案し得る。また、これとは別の例として、本発明は、デジタルカメラ用標準ファイル管理ツールＤＣＦ規格において色空間を識別するために設けられたファイル命名規則に準拠したファイル生成などにも適用が可能である。
【００６４】
また、上記全ての説明において、ＯＳはウィンドウズを仮定したが、本発明はＭＳ−ＤＯＳ、Ｍａｃ−ＯＳ、ユニックスやリナックス（各ＯＳ名称は登録商標）など任意のＯＳに有効であることは言を待たない。
【００６５】
以上実施形態に基づいて本発明を説明したが、本発明は上記した実施形態に限定されるものではなく、本発明の要旨の範囲内で種々の変形や応用が可能なことは勿論である。
【００６６】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６７】
【図１】ステレオ撮影を行う際のシステム構成図である。
【図２】本発明の第１の実施形態の概念について説明するための図である。
【図３】本発明の第１の実施形態におけるファイル名生成時のフローチャートである。
【図４】本発明の第１の実施形態におけるファイル検索時のフローチャートである。
【図５】ファイル名変更前とファイル名変更後の対応付けテーブルデータの例である。
【図６】本発明の第２の実施形態の概念について説明するための図である。
【図７】本発明の第２の実施形態におけるファイル名生成時のフローチャートである。
【符号の説明】
【００６８】
１ａ，１ｂ…カメラ、２…撮影レンズ、３…撮像部、４…画像処理部、５…ファイル生成部、６…記録部、７…制御部、８…通信回線、１００，２００，３００…所定書式部分
【図１】
2005149483.tif 000003
【図２】
2005149483.tif 000004
【図３】
2005149483.tif 000005
【図４】
2005149483.tif 000006
【図５】
2005149483.tif 000007
【図６】
2005149483.tif 000008
【図７】
2005149483.tif 000009